(57)【要約】【課題】冗長なノズル洗浄を低減する衛生洗浄装置を提供する。【解決手段】人体局部に向けて洗浄水を吐水し局部洗浄を行うノズルと、ユーザを検知するユーザ検知部と、ノズルの洗浄を制御する制御部と、を備え、制御部は、局部洗浄を実施した後にノズルの洗浄を実施する後ノズル洗浄の制御が可能であり、ユーザ検知部により検知した第一ユーザに関する第一状況と、第一ユーザより後にユーザ検知部により検知した第二ユーザに関する第二状況と、に基づいて、所定時間内における連続して使用される状態を判定する連続使用判定を実施することを特徴とする衛生洗浄装置。【選択図】図３
2019002256.tif 000002
【特許請求の範囲】
【請求項１】
人体局部に向けて洗浄水を吐水し局部洗浄を行うノズルと、
ユーザを検知するユーザ検知部と、
前記ノズルの洗浄を制御する制御部と、
を備え、
前記制御部は、局部洗浄を実施した後に前記ノズルの洗浄を実施する後ノズル洗浄の制御が可能であり、
前記ユーザ検知部により検知した第一ユーザに関する第一状況と、
前記第一ユーザより後に前記ユーザ検知部により検知した第二ユーザに関する第二状況と、
に基づいて、
所定時間内における連続して使用される状態を判定する連続使用判定を実施する
ことを特徴とする衛生洗浄装置。
【請求項２】
前記制御部は、前記連続使用判定において、
連続して使用される状態にあると判定した場合には、前記第二ユーザに対する前記後ノズル洗浄を行わず、
連続して使用される状態にないと判定した場合には、前記第二ユーザに対する前記後ノズル洗浄を行う
ことを特徴とする衛生洗浄装置。
【請求項３】
前記第一状況は前記制御部が前記第一ユーザの不存在を判定した第一時刻であり、
前記第二状況は前記第二ユーザの存在を判定した第二時刻であり、
前記制御部は前記第一時刻と前記第二時刻とに基づいて、
前記連続使用判定を実施する
ことを特徴とする請求項１または請求項２に記載の衛生洗浄装置。
【請求項４】
前記第一状況は前記制御部が前記第一ユーザの存在を判定した第一時刻であり、
前記第二状況は前記第二ユーザの存在を判定した第二時刻であり、
前記制御部は前記第一時刻と前記第二時刻とに基づいて、
前記連続使用判定を実施する
ことを特徴とする請求項１または請求項２に記載の衛生洗浄装置。
【請求項５】
前記制御部は、前記連続使用判定において、
前記第二時刻と前記第一時刻との差が所定の値と等しい、または、小さい場合に、
連続して使用される状態にあると判定する
ことを特徴とする請求項３または請求項４に記載の衛生洗浄装置。
【請求項６】
前記制御部は、局部洗浄を実施する前に前記ノズルの洗浄を実施する前ノズル洗浄の制御が可能であり、
前記第二ユーザに対する前記後ノズル洗浄を制御した後、
前記ユーザ検知部により検知した第三ユーザに対する前記局部洗浄を実施する前に、
前記第三ユーザに対する前記前ノズル洗浄を制御する
ことを特徴とする請求項１から請求項５のいずれか１項に記載の衛生洗浄装置。
【発明の詳細な説明】
【技術分野】
【０００１】
本発明は、衛生洗浄装置に関し、特に、人体局部に向けて洗浄水を吐水する衛生洗浄装置に関する。
【背景技術】
【０００２】
従来、給水を加熱タンク内で加熱し、加熱した温水を人体局部に向けてノズルから吐水することで、人体局部を洗浄する衛生洗浄装置が知られている。このような衛生洗浄装置はノズルを洗浄する機能を備えている。
【０００３】
ノズルを洗浄する機能としては、例えば、衛生洗浄装置が局部洗浄を実施する前に行う「前ノズル洗浄」、局部洗浄を実施した後に行う「後ノズル洗浄」、ノズルを所定サイクルで定期的に洗浄する「定期ノズル洗浄」、ユーザが衛生洗浄装置へ指示を行うことでノズルの洗浄を実施する「手動ノズル洗浄」などがある。衛生洗浄装置は少なくともいずれかのノズル洗浄を行うことが可能である。
【０００４】
衛生洗浄装置がノズル洗浄を実施するタイミングは例えば以下のとおりである。
【０００５】
「前ノズル洗浄」においては、衛生洗浄装置に備えられた人体検知センサがユーザの入室を検知した場合や衛生洗浄装置に備えられた着座検知センサがユーザの着座を検知した場合などである。
【０００６】
「後ノズル洗浄」においては、ユーザが衛生洗浄装置に着座し、衛生洗浄装置がユーザの局部を洗浄し、衛生洗浄装置に備えられた着座検知センサがユーザの離座を検知した後所定時間が経過した場合などである。着座検知センサでの検知結果に変えて、人体検知センサがユーザを検知しなくなった後所定時間が経過した場合に後ノズル洗浄を行ってもよい。
【０００７】
「定期ノズル洗浄」においては、前回ノズル洗浄を実施した後、ノズル洗浄が実施されない時間が所定時間経過した場合などである。
【０００８】
「手動ノズル洗浄」においては、衛生洗浄装置に備えられたリモコンやボタンを介して衛生洗浄装置がユーザによる所定の操作を受け付けた場合などである。ユーザが意図的にノズル洗浄を行いたい場合に実施される。
【０００９】
例えば、特許文献１には、前回の洗浄動作から今回の洗浄動作を行おうとするまでの空き時間に基づいて、前ノズル洗浄の洗浄時間を設定する衛生洗浄装置が開示されている。
【先行技術文献】
【特許文献】
【００１０】
【特許文献１】特許第３５０３４８９号
【発明の概要】
【発明が解決しようとする課題】
【００１１】
衛生洗浄装置のノズル洗浄が短時間の間に頻繁に実施されることがある。例えば、駅やデパートといったパブリックな環境において、ユーザがトイレルームに押し寄せ、衛生洗浄装置を使用するユーザが次々に入れ替わる場合がある。衛生洗浄装置が少なくとも前ノズル洗浄と後ノズル洗浄を備えている場合には、衛生洗浄装置があるユーザの使用に基づいて後ノズル洗浄を実施した後、別のユーザが入室することにより衛生洗浄装置は前ノズル洗浄を実施する。ユーザが次々に入れ替わると後ノズル洗浄を行ってから前ノズル洗浄を行うまでの間隔が短くなりやすい。
【００１２】
パブリックな環境にある衛生洗浄装置について、ユーザは衛生洗浄装置の詳細な動作に関する知識をもちあわせていないため、ノズル洗浄が正常に実施されていたとしても、ユーザはノズル洗浄の実施有無に気づかないおそれもある。したがって、衛生洗浄装置が少なくとも後ノズル洗浄、手動ノズル洗浄を備えている場合に、前回衛生洗浄装置を利用したユーザに対する後ノズル洗浄が実施されていたとしても、新たにトイレルームに入室したユーザは、ノズルが清潔な状態にあることを担保するために、着座してから局部洗浄を行う前に衛生洗浄装置に手動ノズル洗浄の指令をすることもある。つまり、後ノズル洗浄、手動ノズル洗浄が連続して実施されることになる。
【００１３】
ノズルを洗浄すればするほど清潔な状態を保つことができると考えられるが、本来一度のノズル洗浄でノズルは清潔になっている。すでに清潔な状態にあるノズルを短時間の間に何度も洗浄する必要性は乏しい。過度にノズル洗浄を実施すると、衛生洗浄装置に余分な負荷がかかり、また、ノズルを洗浄するための水も余分に使うことになる。このような冗長なノズル洗浄を低減する衛生洗浄装置を提供することを課題とする。
【００１４】
本発明は、上述した問題を解決するためになされたものであって、衛生洗浄装置のノズル洗浄において冗長なノズル洗浄を低減することを目的としている。
【課題を解決するための手段】
【００１５】
本発明にかかる衛生洗浄装置は、人体局部に向けて洗浄水を吐水し局部洗浄を行うノズルと、ユーザを検知するユーザ検知部と、ノズルの洗浄を制御する制御部と、を備え、制御部は、局部洗浄を実施した後にノズルの洗浄を実施する後ノズル洗浄の制御が可能であり、ユーザ検知部により検知した第一ユーザに関する第一状況と、第一ユーザより後にユーザ検知部により検知した第二ユーザに関する第二状況と、に基づいて、所定時間内における連続して使用される状態を判定する連続使用判定を実施することを特徴とする。
【００１６】
本発明によれば、第一状況と、第二状況と、に基づいて、衛生洗浄装置が所定時間内に連続して使用される状態にあるのかを衛生洗浄装置は判定できる。これにより、局部洗浄が行われていない間での冗長なノズル洗浄が実施される可能性があるかどうかを衛生洗浄装置は判定することができる。
【００１７】
本発明にかかる衛生洗浄装置は、好ましくは、制御部は、連続使用判定において、連続して使用される状態にあると判定した場合には、第二ユーザに対する後ノズル洗浄を行わず、連続して使用される状態にないと判定した場合には、第二ユーザに対する後ノズル洗浄を行うことを特徴とする。
【００１８】
本発明によれば、第二ユーザに続いて新たに第三ユーザが衛生洗浄装置を使う場合、連続して使用される状態にあると判定すれば、第二ユーザに対する後ノズル洗浄を行わないため、局部洗浄のためにノズルが使用されていない短期間における冗長なノズル洗浄の実施を低減することができる。一方、連続して使用される状態にないと判定すれば、第二ユーザに対する後ノズル洗浄を行い、ノズルを清潔な状態に保つことができる。
【００１９】
本発明にかかる衛生洗浄装置は、好ましくは、第一状況は制御部が第一ユーザの不存在を判定した第一時刻であり、第二状況は第二ユーザの存在を判定した第二時刻であり、制御部は第一時刻と第二時刻とに基づいて、連続使用判定を実施することを特徴とする。
【００２０】
本発明によれば、第一ユーザの不存在を判定した第一時刻と第二ユーザの存在を判定した第二時刻とに基づいて、衛生洗浄装置は連続使用判定を行うことができる。これにより、局部洗浄が行われていない間での冗長なノズル洗浄が実施される可能性があるかどうかを衛生洗浄装置は判定することができる。
【００２１】
本発明にかかる衛生洗浄装置は、好ましくは、第一状況は制御部が第一ユーザの存在を判定した第一時刻であり、第二状況は第二ユーザの存在を判定した第二時刻であり、制御部は第一時刻と第二時刻とに基づいて、連続使用判定を実施することを特徴とする。
【００２２】
本発明によれば、第一ユーザの存在を判定した第一時刻と第二ユーザの存在を判定した第二時刻とに基づいて、衛生洗浄装置は連続使用判定を行うことができる。これにより、局部洗浄が行われていない間での冗長なノズル洗浄が実施される可能性があるかどうかを衛生洗浄装置は判定することができる。
【００２３】
本発明にかかる衛生洗浄装置は、好ましくは、制御部は、連続使用判定において、第二時刻と第一時刻との差が所定の値と等しい、または、小さい場合に、連続して使用される状態にあると判定することを特徴とする。
【００２４】
本発明によれば、連続使用判定において、第二時刻と第一時刻との差が所定の値と等しい、または、小さい場合に、衛生洗浄装置は連続して使用される状態にあると判定できる。これにより、局部洗浄が行われていない間での冗長なノズル洗浄が実施される可能性があることを判定できる。
【００２５】
本発明にかかる衛生洗浄装置は、好ましくは、制御部は、局部洗浄を実施する前にノズルの洗浄を実施する前ノズル洗浄の制御が可能であり、第二ユーザに対する後ノズル洗浄を制御した後、ユーザ検知部により検知した第三ユーザに対する局部洗浄を実施する前に、前ノズル洗浄を制御することを特徴とする。
【００２６】
本発明によれば、第二ユーザに対する後ノズル洗浄を制御した後、第三ユーザに対する前ノズル洗浄を制御することができる。これにより、局部洗浄のためにノズルが使用されていない短期間における冗長なノズル洗浄の実施を低減するとともに、ノズルを清潔な状態に保つことができる。
【発明の効果】
【００２７】
本発明によれば、衛生洗浄装置は冗長なノズル洗浄を低減することができる。
【図面の簡単な説明】
【００２８】
【図１】本発明による衛生洗浄装置が設置された洋式トイレを示す斜視図である。
【図２】衛生洗浄装置の水路及び電気系統の構成を示すブロック図である。
【図３】本発明による衛生洗浄装置の制御を例示するフローチャートである。
【図４】本発明による衛生洗浄装置の制御を例示する他のフローチャートである。
【図５】本発明による衛生洗浄装置の制御を例示する他のフローチャートである。
【図６】本発明による衛生洗浄装置の制御を例示する他のフローチャートである。
【発明を実施するための形態】
【００２９】
以下、図面を参照しながら本発明による実施の形態を説明する。なお、図面は模式的または概念的なものであり、各部分の形状や縦横の寸法の関係、部分間の大きさの比率などは、必ずしも現実のものと同一とは限らない。また、同じ部分を表す場合であっても、図面により互いの寸法や比率が異なって表される場合もある。本願明細書と各図において、既出の図に関して前述したものと同様の要素には同一の符号を付して詳細な説明は適宜省略する。
【００３０】
図１に示すように、洋式トイレ１は、ボウル状の便器２と、操作部２２（図１には図示せず）により無線操作可能な便器２上部に設置された衛生洗浄装置４と、を備える。衛生洗浄装置４は、洗浄装置本体６と、便座８と、便蓋１０とからなる。便座８及び便蓋１０は洗浄装置本体６に上方に向かって開閉可能に接続されている。洗浄装置本体６は、便器２に向かって伸出可能なノズル１２を含み、操作部２２への使用者の入力に応じて、給水源から供給された洗浄水を便器内に伸出したノズル１２から吐出することにより、便座８に着座したユーザのおしりなどの局部を洗浄するものである。また、本実施形態の衛生洗浄装置４内は、電解槽ユニット３２（図１には図示せず）で生成した殺菌水によりノズル１２を殺菌洗浄する機能を備えている。なお、ノズル１２の洗浄において殺菌成分を含まない水で洗浄してもよい。
【００３１】
図２に示すように、衛生洗浄装置４は電源回路１３を備え、電源回路１３を通して電源が供給される。電源が供給されることで制御部２０は各種指令を出すための判断を行うことが可能となる。
【００３２】
衛生洗浄装置４は、給水源２４からノズル１２まで延びる流路２６を有する。この流路２６の上流側には、制御部２０と通信可能に接続された電磁弁２８が設けられている。電磁弁２８は流路２６を開閉可能な電磁バルブであり、制御部２０からの指令に基づいて水の供給を制御する。
【００３３】
流路２６の電磁弁２８の下流側には、制御部２０と通信可能に接続された温水ヒーター３０が設けられている。温水ヒーター３０は、制御部２０の指令に基づいて、流路２６を介して供給された水を設定温度まで加熱する。なお、この設定温度は、あらかじめ定められた温度であってもよいし、使用者が操作部２２により設定することができるようにしてもよい。
【００３４】
流路２６の温水ヒーター３０の下流には、制御部２０と通信可能に接続された電解槽ユニット３２が設けられている。電解槽ユニット３２は、制御部２０からの指令に基づき、一対の電極間に電圧を印加することにより、塩素を含む水を電気分解して、次亜塩素酸を含む殺菌水（ジア水）を生成する。
【００３５】
流路２６の電解槽ユニット３２の下流には、制御部２０と通信可能に接続された圧力変調装置３４が設けられている。圧力変調装置３４は、制御部２０からの指令に基づき、流路２６内の水の流れに脈動を与える。
【００３６】
流路２６の圧力変調装置３４の下流には、制御部２０と通信可能に接続された調整弁３６が設けられている。調整弁３６は、制御部２０の指令に基づいて、流量の調整を行う。調整弁３６により流量調整を行うことにより、ノズル１２の吐出口から噴射される水の勢いを調整することができる。なお、調整弁３６による流量調整は、使用者が操作部２２により設定した水勢に基づき決定される。また、調整弁３６は、制御部２０の指令に基づいて、流路２６を介して供給された上水又は殺菌水を、ノズル１２へ供給する状態と、ノズル洗浄室４０へ供給する状態とを切替可能である。
【００３７】
ノズル１２は、調整弁３６の下流に接続されており、調整弁３６がノズル１２へ水を供給する状態に切り替えられると、供給された上水又は殺菌水をノズル１２の先端部の上面に向けて形成された吐出口から上方に向かって噴射する。
【００３８】
ノズルモータ１４は制御部２０に通信可能に接続されており、制御部２０の指令に基づき駆動し、ノズル１２を進退させる。
【００３９】
ノズル洗浄室１６は、図示しない取り付け台に固定された中空の部材であり、内部をノズル１２が挿通している。ノズル洗浄室１６の内面には、吐水口が形成されており、この吐水口は、調整弁３６の下流側に接続されている。調整弁３６がノズル洗浄室１６へ水を供給する状態に切り替えられると、流路２６を介して供給された上水又は殺菌水が吐水口から中心に向けて噴射する。これにより、内部を挿通するノズル１２の外周面を洗浄することができる。
【００４０】
操作部２２はユーザによる衛生洗浄装置４への入力指令を受け付ける。例えば、ボタンやリモコンで構成され、また、ボタンやリモコンの有無にかかわらず各種無線信号を受信するように構成されていてもよい。ユーザによる衛生洗浄装置４への入力指令としては、局部洗浄の実行、局部洗浄の停止、手動ノズル洗浄の実行、手動ノズル洗浄の停止、各種設定等がある。
【００４１】
ユーザ検知部４０はユーザを検知するためのものである。ユーザ検知部４０は人体検知センサ４２と着座検知センサ４４の少なくとも一つで構成される。ユーザ検知部４０は人体検知センサ４２と着座検知センサ４４における検知結果を制御部２０へ渡す。
【００４２】
人体検知センサ４２は所定領域内における人体の存在を検知する。人体検知センサ４２はマイクロ波や赤外線などを利用して人体を検知するものであってもよい。
【００４３】
着座検知センサ４４はユーザによる便座への着座の有無を検知する。着座検知センサ４４はマイクロ波、赤外線、静電センサ、押しボタンスイッチなどを利用して着座の有無を検知するものであってもよい。
【００４４】
制御部２０は操作部２２とユーザ検知部４０の少なくともいずれかの情報をもとに、ユーザの局部を洗浄する局部洗浄やノズルを洗浄するノズル洗浄の制御を行う。制御部２０は、具体的なノズル洗浄として、前ノズル洗浄、後ノズル洗浄、定期ノズル洗浄、手動ノズルを制御可能である。洗浄制御部２０は、例えば、ＣＰＵ（Ｃｅｎｔｒａｌ Ｐｒｏｃｅｓｓｉｎｇ Ｕｎｉｔ）、ＲＯＭ（Ｒｅａｄ Ｏｎｌｙ Ｍｅｍｏｒｙ）、ＲＡＭ（Ｒａｎｄｏｍ Ａｃｃｅｓｓ Ｍｅｍｏｒｙ）等を有する論理演算回路として構成されている。
【００４５】
制御部２０は、ユーザ検知部４０から渡された人体検知センサ４２の検知結果が人体の存在を示すものであった場合、ユーザが存在すると判定する。また、人体検知センサ４２の検知結果にかかわらず、ユーザ検知部４０から渡された着座検知センサ４４の検知結果がユーザによる着座を示すものであった場合、ユーザが存在すると判定してもよい。さらに、人体検知センサ４２の検知結果が人体の存在を示すものであって、かつ、着座検知センサ４４の検知結果がユーザによる着座を示すものであった場合に、ユーザが存在すると判定してもよい。
【００４６】
制御部２０は、ユーザ検知部４０から渡された人体検知センサ４２の検知結果が人体の存在を示すものでなかった場合、ユーザが不存在であると判定する。また、人体検知センサ４２の検知結果にかかわらず、ユーザ検知部４０から渡された着座検知センサ４４の検知結果がユーザによる着座を示すものでなかった場合、ユーザが不存在であると判定してもよい。さらに、人体検知センサ４２の検知結果が人体の存在を示すものでなく、かつ、着座検知センサ４４の検知結果がユーザによる着座を示すものでなかった場合に、ユーザが不存在であると判定してもよい。
【００４７】
[実施形態１]
図３および図４は本実施形態の衛生洗浄装置４の処理ステップを例示するフローチャートである。衛生洗浄装置４を過去使用したユーザを第一ユーザ、今回使用するユーザを第二ユーザとし、第二ユーザを例に処理ステップを説明する。第一ユーザのうち、特に、前回のユーザを第一ユーザ１、前々回のユーザを第一ユーザ２、Ｘ回前のユーザを第一ユーザＸとする。なお、第一ユーザと第二ユーザは異なる人物である場合もあるし、同一人物である場合もありえる。同様に、任意の第一ユーザＭと任意の第一ユーザＮは異なる人物である場合もあるし、同一人物である場合もある。
【００４８】
図３において、制御部２０はユーザ検知部４０により渡された人体検知センサ４２の検知結果と、着座検知センサ４４の検知結果の少なくともいずれか一つに基づいて、第二ユーザの存在を判定する。制御部２０は、第二ユーザが存在しない（不存在）と判定した場合は第二ユーザが存在するまで待ち受ける（ステップＳ１０１：Ｎ）。制御部２０は、第二ユーザが存在すると判定すると（ステップＳ１０１：Ｙ）、時刻ＴＡの測定を行う（ステップＳ１０２）。なお、制御部２０は第二ユーザが存在すると判定した際に、前ノズル洗浄を実施することができる。
【００４９】
操作部２２は第二ユーザによる局部洗浄実施の入力指令を待ち受ける（ステップＳ１０３）。操作部２２が第二ユーザによる局部洗浄実施の入力指令を受け付けないまま、ユーザ検知部４０により渡された人体検知センサ４２の検知結果と、着座検知センサ４４の検知結果の少なくともいずれか一つに基づいて、第二ユーザが不存在であると制御部２０が判定した場合、ノズルが使用されておらず後ノズル洗浄の必要がないため、処理を終了する（ステップＳ１０３：Ｎ）。操作部２２が第二ユーザによる局部洗浄実施の入力指令を受け付けた場合、制御部２０は局部洗浄を実施する。このとき、第二ユーザは局部洗浄実施の入力指令を行う前に、手動ノズル洗浄実施の入力指令を行う可能性がある。
【００５０】
制御部２０が局部洗浄を実施した後（ステップＳ１０３：Ｙ）、制御部２０はユーザ検知部４０により渡された人体検知センサ４２の検知結果と、着座検知センサ４４の検知結果の少なくともいずれか一つに基づいて、第二ユーザの不存在を判定する（ステップＳ１０４）。制御部２０は、第二ユーザが存在すると判定した場合、第二ユーザが不存在となるまで待ち受ける（ステップＳ１０４：Ｎ）。
【００５１】
制御部２０は、第二ユーザが不存在であると判定すると（ステップＳ１０４：Ｙ）、所定時間内における連続して使用される状態を判定する連続使用判定を行う（ステップＳ１０５）。連続使用の判定については図４を用いて後述する。
【００５２】
制御部２０は連続使用があると判定すると（ステップＳ１０６：Ｙ）、後ノズル洗浄を行わない。一方、制御部２０は連続使用がないと判定すると（ステップＳ１０６：Ｎ）、後ノズル洗浄を行う（ステップＳ１０７）。その後、制御部２０は時刻ＴＢの測定を行う（ステップＳ１０８）。
【００５３】
図４はステップＳ１０５における連続使用判定の詳細なフローチャートである。
【００５４】
制御部２０は第二ユーザの存在を確認した後に測定した時刻ＴＡと、第一ユーザの不存在を確認した後に測定した時刻ＴＢとの差分が所定時間よりも小さければ（ステップＳ１２０：Ｙ）、衛生洗浄装置４が連続して使用されている状態にあると判定する（ステップＳ１２１）。一方、その差分が所定時間以上であれば（ステップＳ１２０：Ｎ）、衛生洗浄装置４が連続して使用されている状態にないと判定する（ステップＳ１２２）。なお、第二ユーザの存在を確認した後に測定した時刻ＴＡと、第一ユーザの不存在を確認した後に測定した時刻ＴＢとの差分が所定時間と等しい場合にも、衛生洗浄装置４が連続して使用されている状態にあると判定してもよい。
【００５５】
ここで、第一ユーザ１における時刻ＴＢを時刻ＴＢ１とし、第一ユーザ２における時刻ＴＢを時刻ＴＢ２とし、第一ユーザＸにおける時刻ＴＢを時刻ＴＢｘとする。第二ユーザにおける時刻ＴＡとＭ回前の第一ユーザＭにおける時刻ＴＢｍとの差分を所定時間と比較してよい。所定時間と第二ユーザから見て何回前の第一ユーザと比較対象とするかは、あらかじめ設定された値でもよいし、操作部２２により設定可能な値であってもよい。例えば、所定時間を３分、第二ユーザから見て５回前の第一ユーザ５と比較するとした場合、第二ユーザにおける時刻ＴＡと第一ユーザ５における時刻ＴＢ５との差分が３分よりも小さい場合に連続使用ありと判定する。
【００５６】
このように、ユーザ検知部４０により検知した第一ユーザに関する第一状況と、第一ユーザより後にユーザ検知部４０により検知した第二ユーザに関する第二状況と、に基づいて、所定時間内における連続して使用される状態を判定する連続使用判定を衛生洗浄装置４は実施している。第一状況は第一ユーザの不存在を判定した第一時刻であり、第二状況は第二ユーザの存在を判定した第二時刻である。第二時刻と第一時刻との差が所定の値と等しい、または、小さい場合に、連続して使用される状態にあると判定し、衛生洗浄装置４は第二ユーザに対する後ノズル洗浄を行わない。連続して使用される状態にないと判定した場合には、衛生洗浄装置４は第二ユーザに対する後ノズル洗浄を行う。
【００５７】
これにより、局部洗浄が行われていない間での冗長なノズル洗浄が実施される可能性があるかどうかを衛生洗浄装置４は判定することができる。衛生洗浄装置４は、冗長なノズル洗浄が実施されると判定すれば後ノズル洗浄を行わないので、局部洗浄のためにノズルが使用されていない短期間における冗長なノズル洗浄の実施を低減することができる。一方、冗長なノズル洗浄が実施されないと判定すれば後ノズル洗浄を行うので、ノズルを清潔な状態に保つことができる。
【００５８】
[実施形態２]
図５および図６は本実施形態の衛生洗浄装置４の処理ステップを例示する他のフローチャートである。
【００５９】
図５では、図３と比較して、時刻ＴＢを測定するステップＳ１０８がない。また、連続使用判定を行うステップＳ１０５がステップＳ２０５となる。
【００６０】
図６はステップＳ２０５における連続使用判定の詳細なフローチャートである。
【００６１】
制御部２０は第二ユーザの存在を確認した後に測定した時刻ＴＡと、第一ユーザの存在を確認した後に測定した時刻ＴＡとの差分が所定時間よりも小さければ（ステップＳ２２０：Ｙ）、衛生洗浄装置４が連続して使用されている状態にあると判定する（ステップＳ１２１）。一方、その差分が所定時間以上であれば（ステップＳ２２０：Ｎ）、衛生洗浄装置４が連続して使用されている状態にないと判定する（ステップＳ１２２）。なお、第二ユーザの存在を確認した後に測定した時刻ＴＡと、第一ユーザの存在を確認した後に測定した時刻ＴＡとの差分が所定時間と等しい場合にも、衛生洗浄装置４が連続して使用されている状態にあると判定してもよい。
【００６２】
ここで、第一ユーザ１における時刻ＴＡを時刻ＴＡ１とし、第一ユーザ２における時刻ＴＡを時刻ＴＡ２とし、第一ユーザＸにおける時刻ＴＡを時刻ＴＡｘとする。第二ユーザにおける時刻ＴＡとＭ回前の第一ユーザＭにおける時刻ＴＡｍとの差分を所定時間と比較してよい。所定時間と第二ユーザから見て何回前の第一ユーザと比較対象とするかは、あらかじめ設定された値でもよいし、操作部２２により設定可能な値であってもよい。例えば、所定時間を３分、第二ユーザから見て５回前の第一ユーザ５と比較するとした場合、第二ユーザにおける時刻ＴＡと第一ユーザ５における時刻ＴＡ５との差分が３分よりも小さい場合に連続使用ありと判定する。
【００６３】
このように、ユーザ検知部４０により検知した第一ユーザに関する第一状況と、第一ユーザより後にユーザ検知部４０により検知した第二ユーザに関する第二状況と、に基づいて、所定時間内における連続して使用される状態を判定する連続使用判定を衛生洗浄装置４は実施している。第一状況は第一ユーザの存在を判定した第一時刻であり、第二状況は第二ユーザの存在を判定した第二時刻である。第二時刻と第一時刻との差が所定の値と等しい、または、小さい場合に、連続して使用される状態にあると判定し、衛生洗浄装置４は第二ユーザに対する後ノズル洗浄を行わない。連続して使用される状態にないと判定した場合には、衛生洗浄装置４は第二ユーザに対する後ノズル洗浄を行う。
【００６４】
これにより、局部洗浄が行われていない間での冗長なノズル洗浄が実施される可能性があるかどうかを衛生洗浄装置４は判定することができる。衛生洗浄装置４は、冗長なノズル洗浄が実施されると判定すれば後ノズル洗浄を行わないので、局部洗浄のためにノズルが使用されていない短期間における冗長なノズル洗浄の実施を低減することができる。一方、冗長なノズル洗浄が実施されないと判定すれば後ノズル洗浄を行うので、ノズルを清潔な状態に保つことができる。
【００６５】
[その他の実施形態] 
衛生洗浄装置４を過去使用したユーザを第一ユーザ、今回使用するユーザを第二ユーザとし、次回使用するユーザを第三ユーザとする。その他の実施形態として、制御部２０は第二ユーザに対する後ノズル洗浄を制御した後、第三ユーザに対する局部洗浄を実施する前に、第三ユーザに対する前ノズル洗浄を制御する。
【００６６】
具体的に、制御部２０は第二ユーザに対して今回の局部洗浄における後ノズル洗浄の実施をすると判定した後、ユーザ検知部４０で第三ユーザの存在を検知した場合に、第三ユーザに対する局部洗浄を実施する前に、前ノズル洗浄を実施しない。これにより、第二ユーザに続いて新たに第三ユーザが衛生洗浄装置４を使う場合、第二ユーザに対する後ノズル洗浄に続いて第三ユーザに対する前ノズル洗浄を行うことにはならないため、局部洗浄が行われていない間での冗長なノズル洗浄の実施を低減することができる。
【００６７】
制御部２０は第二ユーザに対して今回の局部洗浄における後ノズル洗浄の実施をしないと判定した後、ユーザ検知部４０で第三ユーザの存在を検知した場合に、第三ユーザに対する局部洗浄を実施する前に、前ノズル洗浄を実施する。これにより、第二ユーザに続いて新たに第三ユーザが衛生洗浄装置４を使う場合、第二ユーザが局部洗浄を利用していた場合でも、第三ユーザが局部洗浄を利用する前にはノズルが清潔になっている。また、局部洗浄が行われていない間での冗長なノズル洗浄の実施を低減することができる。
【００６８】
以上、具体例を参照しつつ、本発明の実施形態について説明した。しかし、本発明は、これらの具体例に限定されるものではない。例えば、衛生洗浄装置を構成する各要素の具体的な構成に関しては、当業者が公知の範囲から適宜選択することにより本発明を同様に実施し、同様の効果を得ることができる限り、本発明の範囲に包含される。また、各具体例のいずれか２つ以上の要素を技術的に可能な範囲で組み合わせたものも、本発明の要旨を包含する限り本発明の範囲に含まれる。
【００６９】
その他、本発明の実施形態として上述した衛生洗浄装置を基にして、当業者が適宜設計変更して実施し得る全ての衛生洗浄装置も、本発明の要旨を包含する限り、本発明の範囲に属する。その他、本発明の思想の範疇において、当業者であれば、各種の変更例及び修正例に想到し得るものであり、それら変更例及び修正例についても本発明の範囲に属するものと了解される。
【符号の説明】
【００７０】
１  洋式トイレ
２  便器
４  衛生洗浄装置
６  洗浄装置本体
８  便座
１０  便蓋
１２  ノズル
【図１】
2019002256.tif 000003
【図２】
2019002256.tif 000004
【図３】
2019002256.tif 000005
【図４】
2019002256.tif 000006
【図５】
2019002256.tif 000007
【図６】
2019002256.tif 000008